(57)【要約】【課題】固定資産の電源状態にかかわらず固定資産の状態を正確に把握し、また、固定資産に対する不正行為を迅速かつ効果的に取り締まる。【解決手段】固定資産３に接続された検出装置１が、固定資産の電源オン時、電源オフ時のいずれにおいても固定資産の稼動状態及び所在位置を検出し、検出結果を示す状態通知情報を通信衛星６経由で管理装置２に送信し、管理装置２は固定資産３の稼動スケジュール及び適正所在位置が示された判定基準を有し、検出装置１からの状態通知情報と判定基準とに基づき固定資産３が稼動スケジュールに従って稼動しているか否か、適正所在位置に所在するか否かを判定し、固定資産が稼動スケジュールに従って稼動していない場合又は適正所在位置に所在していない場合に警告情報を生成し、固定資産３の管理責任者の管理責任者装置５に警告情報を送信する。【選択図】図１
2006309789.tif 000002
【特許請求の範囲】
【請求項１】
所定の装置を検出対象装置とし、
前記検出対象装置に接続して前記検出対象装置の装置状態を検出する検出装置であって、
少なくとも前記検出対象装置が稼動を停止しているときに前記検出対象装置の装置状態を検出する状態検出部を有することを特徴とする検出装置。
【請求項２】
前記状態検出部は、
少なくとも前記検出対象装置が稼動を停止しているときに、前記検出対象装置の装置状態として前記検出対象装置の所在位置を検出することを特徴とする請求項１に記載の検出装置。
【請求項３】
前記状態検出部は、
前記検出対象装置の装置状態として、前記検出対象装置が稼動を停止した際に前記検出対象装置が稼動を停止したことを検出することを特徴とする請求項１に記載の検出装置。
【請求項４】
前記状態検出部は、
前記検出対象装置が稼動を停止したことを検出した場合に、前記検出対象装置の装置状態として、前記検出対象装置が稼動を停止した際の前記検出対象装置の所在位置を検出することを特徴とする請求項３に記載の検出装置。
【請求項５】
前記状態検出部は、
前記検出対象装置が稼動を停止したことを検出した場合に、前記検出対象装置が稼動を停止した時刻を特定することを特徴とする請求項４に記載の検出装置。
【請求項６】
前記検出装置は、更に、
前記検出対象装置からの受電により検出装置の稼動のための電力供給を行う第１の電源部と、
前記検出対象装置から受電することなく検出装置の稼動のための電力供給を行う第２の電源部と、
前記状態検出部により前記検出対象装置の稼動停止が検出される前は、前記第１の電源部から電力供給を行わせ、前記状態検出部により前記検出対象装置の稼動停止が検出された場合に、前記第２の電源部からの電力供給に切替える電源制御部とを有することを特徴とする請求項３に記載の検出装置。
【請求項７】
前記状態検出部は、
前記検出対象装置が稼動しているとき及び稼動を停止しているときのいずれにおいても、少なくとも一定周期ごとに前記検出対象装置の所在位置を検出することを特徴とする請求項１に記載の検出装置。
【請求項８】
前記状態検出部は、
前記検出対象装置が稼動しているとき及び稼動を停止しているときのいずれにおいても、少なくとも一定周期ごとに前記検出対象装置の稼動状態を検出することを特徴とする請求項１に記載の検出装置。
【請求項９】
前記検出装置は、前記検出対象装置の管理を行う管理装置と通信可能であり、
前記検出装置は、更に、
前記状態検出部により検出された装置状態を示す状態通知情報を生成する状態通知情報生成部と、
前記状態通知情報生成部により生成された状態通知情報を前記管理装置に対して送信する通信部とを有することを特徴とする請求項１に記載の検出装置。
【発明の詳細な説明】
【技術分野】
【０００１】
この発明は、オフィス機器や生産設備といった固定資産の管理に関する。
【背景技術】
【０００２】
通常、各企業で固定資産として所有されている生産設備等は、所在の確認は年に一度の棚卸しでなされている。
また、棚卸し時の所在確認時、あるいは必要なタイミングで資産価値を精査し、売却・廃却等の判断がなされている。
通常、所在の確認や稼動状態の把握は、固定資産に対する管理責任がある管理責任者（管理責任部門）の管理に任されている。
近年、生産形態の多様化と共に、生産設備等の固定資産の社外への貸与や移動が多く発生し、固定資産としての生産設備等を管理する為の負担が増している。
また、稼動状態の把握が実質的に困難になる事態が発生し、適切な資産管理がおこなわれていない場合もある。
【０００３】
本問題点を解決するための従来の手法として、特開２００１−４３１７３号公報に記載された構成について説明する。
特開２００１−４３１７３号公報では、オフィス内機器にＧＰＳ（Ｇｌｏｂａｌ  Ｐｏｓｉｔｉｏｎｉｎｇ  Ｓｙｓｔｅｍ）装置を取り付け、位置情報を取得し、マップを作成し、容易に情報機器の設置位置を把握する構成を開示している。ネットワーク接続された情報機器（プリンタ、パソコン、サーバ、等）に対し、位置情報を生成可能な装置（ＧＰＳ受信機等）を取り付け、電源投入の度に位置情報の送信を行い、その情報を基に、各クライアントのパソコン、または共有のサーバが位置情報を算出する。その後、各クライアントのパソコンにより、マップを作成し、表示する。また、簡易的な情報機器の稼動情報（Ｏｎ、Ｂｕｓｙ等）を表示し、把握することができる。
【特許文献１】特開２００１−４３１７３号公報
【特許文献２】特開２００２−１３６４６４号公報
【特許文献３】特開平１１−１２０２４０号公報
【特許文献４】特開平０９−２０４４８０号公報
【特許文献５】特開２０００−９００２６号公報
【発明の開示】
【発明が解決しようとする課題】
【０００４】
特開２００１−４３１７３号公報に記載の方式の場合、固定資産（長時間稼動、停止するサーバ、機器等）への位置情報、稼動情報の把握に対して、電源を情報機器のみに依存しているため、情報機器の電源Ｏｎ時の送信のみでは正確に把握できず、Ｏｆｆ時の無断持ち出しなど不正使用を防ぐ目的としては使用できない。
また、ネットワーク内機器に限定されていることから、オフィス内に限定されており、社外設置機器や、ネットワーク接続不可能な機器に対する位置把握、マップ表示は行えないと考えられる。
また、固定資産が適正な位置に配置されているか否か、固定資産が正常に稼動しているか否かを判定することができず、このため、固定資産の不正持ちだし、不正使用といった不正行為を適切に取り締まることができない。
このように、従来技術では、固定資産を十分に管理することができず、また固定資産の管理のための負担を軽減することができないという問題点がある。
【０００５】
そこで、本発明は、固定資産の電源状態にかかわらず固定資産の状態を正確に把握し、また、固定資産に対する不正行為を迅速かつ効果的に取り締まり、固定資産の管理に要する労力を軽減する装置及びプログラムを実現する。
【課題を解決するための手段】
【０００６】
本発明に係る管理装置は、
所定の装置を管理対象装置とし、
前記管理対象装置の装置状態を検出する検出装置より前記管理対象装置の装置状態に関する通知を受けて前記管理対象装置の管理を行う管理装置であって、
前記管理対象装置の装置状態を示す状態通知情報を前記検出装置より受信する通信部と、
前記管理対象装置が適正状態にあるか否かを判定するための判定基準を記憶する判定基準記憶部と、
前記状態通知情報と前記判定基準とに基づき、前記管理対象装置が適正状態にあるか否かを判定する判定部と、
前記判定部により前記管理対象装置が適正状態にないと判定された場合に、前記管理対象装置が適正状態にないことを警告する警告情報を生成する警告情報生成部とを有することを特徴とする。
【０００７】
前記通信部は、
前記管理対象装置の管理責任者が使用する管理責任者装置と通信可能であり、
前記警告情報生成部により前記警告情報が生成された場合に、前記警告情報を前記管理責任者装置に対して送信することを特徴とする。
【０００８】
前記判定基準記憶部は、
前記判定基準として、前記管理対象装置の適正所在位置を示す適正所在位置情報を記憶し、
前記通信部は、
前記状態通知情報として、前記検出装置により検出された前記管理対象装置の所在位置を示す所在位置通知情報を受信し、
前記判定部は、
前記所在位置通知情報と前記適正所在位置情報とに基づき、前記管理対象装置が適正所在位置に所在しているか否かを判定し、
前記警告情報生成部は、
前記判定部により前記管理対象装置が適正所在位置に所在していないと判定された場合に、前記管理対象装置が適正所在位置に所在していないことを警告する警告情報を生成することを特徴とする。
【０００９】
前記警告情報生成部は、
前記判定部により前記管理対象装置が適正所在位置に所在していないと判定された場合に、前記管理対象装置が適正所在位置に所在していないことを警告するとともに前記管理対象装置の所在位置を示す警告情報を生成することを特徴とする。
【００１０】
前記通信部は、
少なくとも一定周期ごとに前記所在位置通知情報を受信し、
前記判定部は、
前記通信部により前記所在位置通知情報が受信される度に、前記管理対象装置が適正所在位置に所在しているか否かを判定することを特徴とする。
【００１１】
前記判定基準記憶部は、
前記判定基準として、前記管理対象装置の稼動スケジュールを示す稼動スケジュール情報を記憶し、
前記通信部は、
前記状態通知情報として、前記検出装置により検出された前記管理対象装置の稼動状態を示す稼動状態通知情報を受信し、
前記判定部は、
前記稼動状態通知情報と前記稼動スケジュール情報とに基づき、前記管理対象装置が稼動スケジュールに従って稼動しているか否かを判定し、
前記警告情報生成部は、
前記判定部により前記管理対象装置が稼動スケジュールに従って稼動していないと判定された場合に、前記管理対象装置が稼動スケジュールに従って稼動していないことを警告する警告情報を生成することを特徴とする。
【００１２】
前記通信部は、
少なくとも一定周期ごとに前記稼動状態通知情報を受信し、
前記判定部は、
前記通信部により前記稼動状態通知情報が受信される度に、前記管理対象装置が稼動スケジュールに従って稼動しているか否かを判定することを特徴とする。
【００１３】
前記通信部は、
前記稼動状態通知情報として、前記管理対象装置が稼動を開始した際に前記管理対象装置の稼動開始を通知するとともに前記管理対象装置の稼動開始時刻を通知する通知情報、及び前記管理対象装置が稼動を停止した際に前記管理対象装置の稼動停止を通知するとともに前記管理対象装置の稼動停止時刻を通知する通知情報の少なくともいずれかを受信し、
前記判定部は、
前記稼動開始時刻における前記管理対象装置の稼動開始及び前記稼動停止時刻における前記管理対象装置の稼動停止のいずれかが稼動スケジュールに合致しない場合に、前記管理対象装置が稼動スケジュールに従って稼動していないと判定することを特徴とする。
【００１４】
前記通信部は、
少なくとも一定周期ごとに前記稼動状態通知情報を受信し、
前記管理装置は、更に、
前記通信部により前記稼動状態通知情報が受信される度に、受信された稼動状態通知情報を蓄積する蓄積部と、
前記蓄積部に蓄積された稼動状態通知情報に基づき前記管理対象装置の稼働時間の累計値を算出し、算出した稼働時間の累計値を用いて前記管理対象装置の資産評価に関する資産評価情報を生成する資産評価情報生成部とを有することを特徴とする。
【００１５】
本発明に係る検出装置は、
所定の装置を検出対象装置とし、
前記検出対象装置に接続して前記検出対象装置の装置状態を検出する検出装置であって、
少なくとも前記検出対象装置が稼動を停止しているときに前記検出対象装置の装置状態を検出する状態検出部を有することを特徴とする。
【００１６】
前記状態検出部は、
少なくとも前記検出対象装置が稼動を停止しているときに、前記検出対象装置の装置状態として前記検出対象装置の所在位置を検出することを特徴とする。
【００１７】
前記状態検出部は、
前記検出対象装置の装置状態として、前記検出対象装置が稼動を停止した際に前記検出対象装置が稼動を停止したことを検出することを特徴とする。
【００１８】
前記状態検出部は、
前記検出対象装置が稼動を停止したことを検出した場合に、前記検出対象装置の装置状態として、前記検出対象装置が稼動を停止した際の前記検出対象装置の所在位置を検出することを特徴とする。
【００１９】
前記状態検出部は、
前記検出対象装置が稼動を停止したことを検出した場合に、前記検出対象装置が稼動を停止した時刻を特定することを特徴とする。
【００２０】
前記検出装置は、更に、
前記検出対象装置からの受電により検出装置の稼動のための電力供給を行う第１の電源部と、
前記検出対象装置から受電することなく検出装置の稼動のための電力供給を行う第２の電源部と、
前記状態検出部により前記検出対象装置の稼動停止が検出される前は、前記第１の電源部から電力供給を行わせ、前記状態検出部により前記検出対象装置の稼動停止が検出された場合に、前記第２の電源部からの電力供給に切替える電源制御部とを有することを特徴とする。
【００２１】
前記状態検出部は、
前記検出対象装置が稼動しているとき及び稼動を停止しているときのいずれにおいても、少なくとも一定周期ごとに前記検出対象装置の所在位置を検出することを特徴とする。
【００２２】
前記状態検出部は、
前記検出対象装置が稼動しているとき及び稼動を停止しているときのいずれにおいても、少なくとも一定周期ごとに前記検出対象装置の稼動状態を検出することを特徴とする。
【００２３】
前記検出装置は、前記検出対象装置の管理を行う管理装置と通信可能であり、
前記検出装置は、更に、
前記状態検出部により検出された装置状態を示す状態通知情報を生成する状態通知情報生成部と、
前記状態通知情報生成部により生成された状態通知情報を前記管理装置に対して送信する通信部とを有することを特徴とする。
【００２４】
本発明に係るプログラムは、
所定の装置を管理対象装置とし、
前記管理対象装置の装置状態を検出する検出装置より前記管理対象装置の装置状態に関する通知を受けて前記管理対象装置の管理を行うコンピュータに、
前記管理対象装置の装置状態を示す状態通知情報を前記検出装置より受信する受信処理と、
前記管理対象装置が適正状態にあるか否かを判定するための判定基準を記憶する判定基準記憶処理と、
前記状態通知情報と前記判定基準とに基づき、前記管理対象装置が適正状態にあるか否かを判定する判定処理と、
前記管理対象装置が適正状態にないと判定された場合に、前記管理対象装置が適正状態にないことを警告する警告情報を生成する警告情報生成処理とを実行させることを特徴とする。
【発明の効果】
【００２５】
本発明によれば、検出装置からの状態通知情報と判定基準に基づき管理対象装置が適正状態にあるか否かを判断し、適正状態にない場合には適正状態にないことを警告する警告情報を生成するため、管理責任者が管理対象装置の管理にかける時間、労力を軽減することができ、また、管理対象装置に対する不正行為を有効に防止、是正することができる。
【発明を実施するための最良の形態】
【００２６】
実施の形態１．
図１は、本実施の形態に係る管理システムの構成例を示す概念図である。
【００２７】
図において、固定資産３は、検出装置１による状態検出の対象となり、また、管理装置２の管理対象となる装置（機器）であり、検出対象装置及び管理対象装置の例に相当する。
固定資産３は、例えば、パーソナルコンピュータ、コピー機、プリンタ等のオフィス機器や、生産設備、工作機械、各種制御装置といった装置である。また、固定資産３は、例えば、ある企業から他の企業にリースされたり、企業内のある部署から他の部署にリースされ、リース先の企業や部署に配置される。
【００２８】
検出装置１は、固定資産３の近傍に配置され、固定資産３に接続して固定資産３の装置状態を検出する。検出装置１が検出する装置状態は、例えば、固定資産３の稼動状態（稼動中か稼動停止中か）、固定資産３の所在位置である。以下では、検出装置１が検出装置状態として固定資産３の稼動状態及び所在位置を例にして説明する。また、固定資産３の所在位置については、例えばＧＰＳ衛星７からの位置情報をもとに測位する。
また、検出装置１は、一定周期ごとに定期的な状態検出を行うとともに、固定資産の電源状態に変動があった際、すなわち、固定資産の稼動状態に変動があった際にも状態検出を行う。つまり、検出装置１は２種類の検出態様にて、固定資産３の装置状態（稼動状態、所在位置）を検出する。
また、検出装置１は、固定資産３の稼働中に固定資産３からの受電により検出装置１の稼動のための電力供給を行う第１の電源部と、固定資産３の稼動停止中に固定資産から独立して検出装置１の稼動のための電力供給を行う第２の電源部とを有する。そして、固定資産３の稼働中は、第１の電源部から電力供給を行わせ、固定資産３が稼動を停止したことを検出した場合に、第２の電源部からの電力供給に切替える。第２の電源部は、例えば、電池等の検出装置１独自の電源である。
また、検出装置１は、定期的、または固定資産３の稼動状態に変動があった際に、検出した装置状態（稼動状態、所在位置）を通知する状態通知情報を生成し、通信衛星６を介して管理装置２に送信する。
なお、図１では、固定資産３及び検出装置１は、１組しか示されていないが、これは説明の便宜のためであり、複数組の固定資産３及び検出装置１で運用してもよい。
【００２９】
管理装置２は、通信衛星６より状態通知情報を受信し、受信した状態通知情報に基づき固定資産３の管理を行う。管理装置２は、固定資産３が適正状態にあるか否かを判定するための判定基準を有しており、状態通知情報に示された装置状態と判定基準とを比較し、固定資産３が適正状態にあるか否かを判定する。ここで、固定資産３が適正状態にない場合とは、固定資産３が所定の稼動スケジュールに従って稼動していない場合、すなわち、稼動しているはずの時刻に稼動を停止している場合や稼動していないはずの時刻に稼動している場合、更に、固定資産３が本来あるべき適正な所在位置（例えば、リース先企業内の適正な配置場所、リース先部署内の適正な配置場所）に所在していない場合である。
そして、固定資産３が適正状態にないと判定した場合には、固定資産３の管理責任者（例えば、リース元の企業、リース元の部署）が使用する管理責任者装置５に対してネットワーク４を通じて警告情報を送信する。
警告情報を受け取った管理責任者は、実査を行う等して固定資産３の状態を是正することができる。
【００３０】
図２は、検出装置１の機能ブロックを示す図である。
【００３１】
稼動状態検出部１０１は、固定資産３の稼動状態を検出する。稼動状態検出部１０１は、電流計を有し、固定資産３の電源オン・オフの状況を電流計の測定により検出し、固定資産３の稼動状態を検出する。
稼動状態検出部１０１は、タイマによる定期的な検出、及び固定資産３の電源状態に変化があった際（電源投入時、電源切断時）の検出の２種類の検出態様にて稼動状態の検出を行う。固定資産３の電源状態に変化があった場合には、位置検出部１０２に対して固定資産３の所在位置の検出を指示する。また、電源状態の変化の内容に応じて、電源制御部１０５に対して第１の電源部１０６、第２の電源部１０７間の切替えを指示する。
また、稼動状態検出部１０１は、固定資産３の稼動状態を検出した際には、検出結果を状態通知情報生成部１０３に通知する。状態通知情報生成部１０３への通知は、フラグ設定により行われる。稼動状態検出部１０１は、稼動状態フラグと検出態様フラグとを有し、これらのフラグのオン・オフにより固定資産３の稼動状態、及び検出態様を通知する。稼動状態フラグは、固定資産３の稼動状態を示し、固定資産３が稼動している場合（電源オンの場合）は稼動状態フラグをオンに設定し、固定資産３が稼動を停止している場合（電源オフの場合）は稼動状態フラグをオフに設定する。また、検出態様フラグは、固定資産３の稼動状態の検出態様を示し、固定資産３の稼動状態に変動があった場合（固定資産３の電源状態に変動があった場合）の検出の場合は、検出態様フラグをオンに設定し、定期的な検出の場合は検出態様フラグをオフに設定する。
【００３２】
位置検出部１０２は、例えばＧＰＳ衛星７からの位置情報を受信可能なレシーバを有し、検出装置１自身の所在位置を検出することにより固定資産３の所在位置を特定する。検出装置１は固定資産３の近傍に配置されることから、検出装置１の所在位置をそのまま固定資産３の所在位置として扱うことができる。
位置検出部１０２は、タイマによる定期的な検出及び固定資産３の稼動状態に変化があった際の稼動状態検出部１０１からの指示に基づく検出の２種類の検出態様にて所在位置の検出を行う。いずれの検出態様の場合も、検出した所在位置は状態通知情報生成部１０３に通知される。所在位置の検出及び状態通知情報生成部１０３への通知は、絶対位置（緯度、経度）により行われる。
【００３３】
状態通知情報生成部１０３は、稼動状態検出部１０１の検出結果である固定資産３の稼動状態（稼動状態フラグ、検出態様フラグ）、位置検出部１０２の検出結果である固定資産３の所在位置、及び固定資産ＩＤ等を含む状態通知情報を生成する。固定資産３の資産ＩＤは資産ＩＤ記憶部１０８に記憶されている。
状態通知情報生成部１０３は、定期的に状態通知情報を生成するとともに、稼動状態検出部１０１が固定資産３の稼動状態の変化を検出した際にも状態通知情報を生成する。定期的な生成の場合は、タイマ１０９からの通知に基づき、一定周期ごとに稼動状態検出部１０１及び位置検出部１０２に対して状態検出を指示し、稼動状態検出部１０１及び位置検出部１０２の検出結果に基づき定期的に状態通知情報を生成する。
【００３４】
図４に状態通知情報生成部１０３が生成する状態通知情報の例を示す。
図４において、宛先ＩＤは状態通知情報の送信先である管理装置２を特定する情報である。
固定資産ＩＤは、装置状態を検出した固定資産を特定する情報であり、資産ＩＤ記憶部１０８に記憶されている固定資産ＩＤが表示される。
稼動状態フラグは、稼動状態検出部１０１により検出された固定資産３の稼動状態を示すフラグであり、稼動状態フラグがオンの場合は固定資産３が稼働中であることを示し、稼動状態フラグがオフの場合は固定資産３が稼動停止中であることを示す。
検出態様フラグは、稼動状態の検出態様が定期的な検出、固定資産３の稼動状態に変動があった際の検出のいずれであるかを示す。検出態様フラグがオンの場合は固定資産３の稼動状態に変化があった際の検出を示し、検出態様フラグがオフの場合は定期的な検出を示す。
例えば、稼動状態フラグがオンで検出態様フラグがオンの場合は、固定資産３の稼動状態に変動があった際の検出を意味し、検出の際に固定資産３が稼働中であったことを示す。すなわち、固定資産３が稼動を開始した際に固定資産３の稼動開始を検出したことを示す。また、稼動状態フラグがオフで検出態様フラグがオンの場合は、固定資産３の稼動状態に変動があった際の検出を意味し、検出の際に固定資産３が稼働停止中であったことを示す。すなわち、固定資産３が稼動を停止した際に固定資産３の稼動停止を検出したことを示す。また、稼動状態フラグがオンで検出態様フラグがオフの場合は、定期的な検出を意味し、検出の際に固定資産３が稼働中であったことを示す。また、稼動状態フラグがオフで検出態様フラグがオフの場合は、定期的な検出を意味し、検出の際に固定資産３が稼働停止中であったことを示す。
また、所在位置は、位置検出部１０２により検出された固定資産３の所在位置を示す。固定資産３の所在位置は絶対位置（緯度、経度）で示される。
時刻は、稼動状態検出部１０１により稼動状態が検出された時刻を示す。すなわち、固定資産が稼動を開始したことを検出した場合は固定資産の稼動開始時刻が示され、固定資産が稼動を停止したことを検出した場合は固定資産の稼動停止時刻が示される。
なお、状態通知情報において、稼動状態フラグと時刻の表示は固定資産の稼動状態を通知する稼動状態通知情報に相当し、所在位置の表示は固定資産の所在位置を示す所在位置情報に相当する。
【００３５】
図２において、通信部（検出装置通信部）１０４は、管理装置２を宛先とする状態通知情報を通信衛星６に送信する。
電源制御部１０５は、稼動状態検出部１０１が固定資産３の稼動状態の変化（電源状態の変化）を検出した際に、稼動状態検出部１０１からの指示により第１の電源部１０６、第２の電源部１０７の切替え制御を行う。第１の電源部１０６は固定資産３の稼働中に固定資産からの受電により検出装置１の稼動のための電力供給を行い、第２の電源部１０７は固定資産３の稼動停止中に固定資産から独立して検出装置１の稼動のための電力供給を行う。稼動状態検出部１０１は、固定資産３が稼動を停止した（固定資産３が電源オフになった）ことを検出した場合に電源制御部１０５に第２の電源部１０７への切替えを指示し、電源制御部１０５は稼動状態検出部１０１からの指示に従い第２の電源部１０７からの電力供給に切替える。また、逆に、固定資産３が稼動を開始した（固定資産３が電源オンになった）ことを検出した場合は、稼動状態検出部１０１は電源制御部１０５に第１の電源部１０６への切替えを指示し、電源制御部１０５は稼動状態検出部１０１からの指示に従い第１の電源部１０６からの電力供給に切替える。
【００３６】
なお、検出装置１は、図示していないが、例えばマイクロプロセッサ等のＣＰＵ、半導体メモリ等や磁気ディスク等の記録手段、及び通信手段を有するコンピュータにより実現することができる。また、検出装置１に含まれる各機能は、ハードウェア又はソフトウェア（プログラム）により実現することができる。
また、検出装置１の各機能をプログラムにより実現する場合には、これらプログラムをコンピュータで読みとり可能な記録媒体に記録することも可能である。更には、これらのプログラムを通信網を介して転送することも可能である。
【００３７】
図３は、管理装置２の機能ブロックを示す図である。
【００３８】
図３において、通信部（管理装置通信部）２０１は、検出装置１から送信された状態通知情報を通信衛星６から受信し、また、警告情報が生成された場合には管理責任者装置５に警告情報を送信する。
変換・格納部２０２は、通信部２０１により受信された状態通知情報を状態通知情報蓄積部２０５が蓄積可能なデータ形式に変換し、状態通知情報蓄積部２０５に格納する。
【００３９】
判定部２０３は、状態通知情報蓄積部２０５に蓄積された状態通知情報と判定基準記憶部２０６に記憶された判定基準とに基づき、固定資産３が適正状態にあるか否かを判定し、固定資産３が適正状態にないと判定した場合に警告情報生成部２０４に警告情報の生成を指示する。また、判定結果をステータス情報として固定資産情報記憶部２０７に書き込む。
【００４０】
判定基準記憶部２０６は、固定資産３が適正状態にあるか否かを判定するための判定基準を記憶している。
図５に、判定基準記憶部２０６に記憶された判定基準の例を示す。
固定資産ＩＤには、固定資産を識別するための識別情報が示され、判定部２０３は状態通知情報に含まれた固定資産ＩＤと一致する固定資産ＩＤをもつレコードを当該固定資産に対する判定基準とする。
適正所在位置には、固定資産が本来あるべき適正な所在位置が示され、緯度、経度、及びそれぞれに対する誤差で表される。判定部２０３は状態通知情報に含まれた所在位置と判定基準の適正所在位置とを比較し、固定資産が適正所在位置に所在しているか否かを判定する。
稼動スケジュールには、固定資産の正常な稼動スケジュールが示され、稼動開始時刻、稼動停止時刻、それぞれに対する誤差、及び適用対象の曜日等が示される。判定部２０３は状態通知情報に含まれた稼動状態フラグ及び時刻と判定基準の稼動スケジュールとを比較し、固定資産が稼動スケジュールに従って稼動しているか否かを判定する。
資産管理部門には、当該固定資産の管理責任者である資産管理部門が示される。
警告方法には、固定資産が適正状態にないと判断した場合の警告方法が示される。警告方法としては、例えば電子メールにより警告情報を送信する方法があり、その場合には警告情報の送信先の電子メールアドレスが示される。
なお、これらの判定基準は、固定資産の管理責任者により生成される。
【００４１】
図３において、警告情報生成部２０４は、判定部２０３により固定資産が適正状態にないと判定された場合に、管理責任者に対する警告情報を生成する。具体的には、固定資産が適正所在位置に所在していないと判定された場合には、固定資産が適正所在位置に所在していないことを通知するとともに現在の所在位置を通知する警告情報を生成し、また、固定資産が稼動スケジュールに従って稼動していないと判断された場合には、固定資産が稼動スケジュールに従って稼動していないことを通知するとともに現在の稼動状態を通知する警告情報を生成する。
【００４２】
固定資産情報記憶部２０７は、固定資産の経理情報を記憶するとともに判定部２０３からのステータス情報（判定結果）を記憶する。固定資産情報記憶部２０７が記憶する経理情報とは、例えば、固定資産の管理部門、固定資産の取得日、取得価格、簿価等である。
【００４３】
なお、管理装置２は、図示していないが、例えばマイクロプロセッサ等のＣＰＵ、半導体メモリ等や磁気ディスク等の記録手段、及び通信手段を有するコンピュータにより実現することができる。また、管理装置２に含まれる各機能は、ハードウェア又はソフトウェア（プログラム）により実現することができる。
また、管理装置２の各機能をプログラムにより実現する場合には、これらプログラムをコンピュータで読みとり可能な記録媒体に記録することも可能である。更には、これらのプログラムを通信網を介して転送することも可能である。
【００４４】
次に、検出装置１の動作を説明する。
図６は検出装置１の動作例を示すフローチャートである。
【００４５】
前述したように、検出装置１では、固定資産の電源状態が変動した場合の検出及びタイマによる定期的な検出の２種類の検出態様がある。このため、ステップＳ６０１において、稼動状態検出部１０１が固定資産の電源状態の変動を検出したか否かを判断し、検出した場合にはステップＳ６０３に進み、検出していない場合はステップＳ６０２で一定時間が経過したか否かを判断する。一定時間が経過していない場合は、固定資産の電源状態に変動があるまで、または一定時間が経過するまで稼動状態の検出及び所在位置の検出は行われない。
【００４６】
ステップＳ６０１で固定資産の電源状態の変動を検出した場合、又はステップＳ６０２で一定時間が経過していた場合には、ステップＳ６０３において、稼動状態検出部１０１が固定資産の電源状態に基づき固定資産の稼動状態（稼動中か稼動停止中か）を判断する。なお、ステップＳ６０２において一定時間が経過していた場合（Ｓ６０２でＹｅｓ）は、状態通知情報生成部１０３から稼動状態検出部１０１に対して検出指示が出され、稼動状態検出部１０１では検出指示に基づいて固定資産の電源状態を検出して稼動状態を判断する。
【００４７】
次に、ステップＳ６０４において、位置検出部１０２が、例えばＧＰＳ衛星７からの位置情報に基づき固定資産の所在位置を検出する。なお、ステップＳ６０１において固定資産の電源状態の変動が検出されていた場合（Ｓ６０１でＹｅｓ）は、位置検出部１０２は、稼動状態検出部１０１からの検出指示により固定資産の所在位置を検出し、ステップＳ６０２において一定時間が経過していた場合（Ｓ６０２でＹｅｓ）は、状態通知情報生成部１０３からの検出指示により固定資産の所在位置を検出する。
【００４８】
次に、ステップＳ６０５において、状態通知情報生成部１０３が、ステップＳ６０３で検出された稼動状態及びステップＳ６０４で検出された所在位置を通知するための状態通知情報を生成し、ステップＳ６０６において、通信部１０４が管理装置２を宛先にして状態通知情報を通信衛星６に送信する。
【００４９】
なお、以上では、固定資産の稼動状態を検出するときには必ず固定資産の所在位置を検出することとしているが、稼動状態の検出と所在位置の検出とを分離してもよい。例えば、固定資産の電源状態に変動があった場合には、稼動状態のみを検出し所在位置を検出しないようにしてもよい。また、一定周期ごとの定期的な検出についても、例えば、稼動状態は１時間ごとに検出し、所在位置は３０分ごとに検出するといったように、異なる周期を設定してもよい。そして、このように稼動状態の検出と所在位置の検出とを分離した場合には、稼動状態のみが示された状態通知情報、所在位置のみが示された状態通知情報が管理装置２に対して送信されることになる。
【００５０】
次に、検出装置１の稼動状態検出部１０１の動作について説明する。
図７は、固定資産の電源状態に変動があった際の稼動状態検出部１０１の動作例を示すフローチャートである。
【００５１】
まず、ステップＳ７０１において、電流計による測定により固定資産の電源状態の変動を検出したか否かを判断し、検出した場合はステップＳ７０２に進み、検出していない場合は待機する。
【００５２】
次に、ステップＳ７０２において、固定資産の稼動状態を判断する。つまり、固定資産に電源が投入された場合は固定資産が稼動を開始したと判断し、固定資産の電源が切断された場合には固定資産が稼動を停止したと判断する。
【００５３】
固定資産の稼動状態が稼動開始か稼動停止かにより処理が異なり（Ｓ７０３）、稼動開始の場合はステップＳ７０４において、電源制御部１０５に対して第１の電源部１０６への切替を指示する。これにより電源制御部１０５は電力供給元を第２の電源部１０７から第１の電源部１０６へと切替える。
また、この場合は、固定資産の電源状態が変動した場合であって固定資産が稼動を開始した場合なので、稼動状態検出部１０１は、ステップＳ７０５において、稼動状態フラグをオンにし、検出態様フラグをオンにする。
【００５４】
一方、ステップＳ７０３において稼動停止であった場合は、ステップＳ７０６に進み、電源制御部１０５に対して第２の電源部１０７への切替を指示する。これにより電源制御部１０５は電力供給元を第１の電源部１０６から第２の電源部１０７へと切替える。
また、この場合は、固定資産の電源状態が変動した場合であって固定資産が稼動を停止した場合なので、稼動状態検出部１０１は、ステップＳ７０７において、稼動状態フラグをオフにし、検出態様フラグをオンにする。
【００５５】
次に、ステップＳ７０８において、状態通知情報生成部１０３に対してフラグ情報及び稼動状態の検出時刻を通知する。
最後に、ステップＳ７０９において、位置検出部１０２に固定資産の所在位置の検出を指示し、これにより位置検出部１０２が固定資産の所在位置の検出を行う。
【００５６】
以上では、状態通知情報生成部１０３にフラグ情報と検出時刻とを通知した後に、位置検出部１０２に対して所在位置の検出を指示しているが、先に位置検出部１０２に対して所在位置の検出を指示してもよい。
また、フラグ情報、検出時刻の通知により固定資産の電源状態に変化が生じたことを知った状態通知情報生成部１０３が位置検出部１０２に対して固定資産の所在位置の検出を指示するようにしてもよい。この場合には、ステップＳ７０９を省略することができる。
また、ステップＳ７０８において状態通知情報生成部１０３に稼動状態の検出時刻を通知することとしているが、状態通知情報生成部１０３がフラグ情報を受領した時刻を稼動状態の検出時刻とみなすようにしてもよく、この場合には、稼動状態検出部１０１から稼動状態の検出時刻を通知しなくてもよい。
【００５７】
次に、図８のフローチャートに基づき、定期的な検出を行う際の稼動状態検出部１０１の動作を説明する。
【００５８】
まず、ステップＳ８０１において、状態通知情報生成部１０３からの検出指示があったか否かを判断する。この検出指示は、一定周期ごとに状態通知情報生成部１０３から発せられる。
ステップＳ８０１において検出指示があった場合は、ステップＳ８０２に進み、検出指示がない場合は、検出指示があるまで待機する。
【００５９】
ステップ８０２において、稼動状態検出部１０１は、固定資産の電源状態を検出して固定資産の稼動状態を判断する。
判断の結果（Ｓ８０３）、固定資産が稼動中であればステップＳ８０４に進み、稼動を停止している場合はステップＳ８０５に進む。
【００６０】
ステップＳ８０４では、定期的な検出であって固定資産が稼動中であるので、稼動状態検出部１０１は、稼動状態フラグをオンにし、検出態様フラグをオフにする。
ステップＳ８０５では、定期的な検出であって固定資産が稼動を停止しているので、稼動状態検出部１０１は、稼動状態フラグをオフにし、検出態様フラグをオフにする。
【００６１】
最後に、ステップＳ８０６において、状態通知情報生成部１０３に対してフラグ情報及び稼動状態の検出時刻を通知する。
【００６２】
なお、以上では、ステップＳ８０６において状態通知情報生成部１０３に稼動状態の検出時刻を通知することとしているが、状態通知情報生成部１０３がフラグ情報を受領した時刻を稼動状態の検出時刻とみなすようにしてもよく、この場合には、稼動状態検出部１０１から稼動状態の検出時刻を通知しなくてもよい。
【００６３】
次に、管理装置２の動作を説明する。
図９は管理装置２の動作例を示すフローチャートである。
【００６４】
先ず、ステップＳ９０１において、管理装置２の通信部２０１が検出装置１から送信された状態通知情報を通信衛星６経由で受信する。
次に、ステップＳ９０２において、変換・格納部２０２が状態通知情報を状態通知情報蓄積部２０５に格納可能なデータ形式に変換し、格納する。
【００６５】
次に、ステップＳ９０３において、判定部２０３が状態通知情報蓄積部２０５に蓄積された状態通知情報と判定基準記憶部２０６に記憶された判定基準とに基づき、固定資産が適正状態にあるか否か、すなわち、固定資産が稼動スケジュールに従って稼動しているか否か、固定資産が適正所在位置に所在しているか否かを判定する（Ｓ９０４）。
固定資産が適正状態である場合には、ステップＳ９０７に進み、適正状態でない場合は、判定部２０３は警告情報生成部２０４に警告情報の生成を指示し、ステップＳ９０５において、警告情報生成部２０４が警告情報を生成する。
【００６６】
その後、ステップＳ９０６において、通信部２０１が警告情報を管理責任者装置５に対して送信する。
最後に、ステップＳ９０７において、判定部２０３が判定結果を示すステータス情報を固定資産情報記憶部２０７に格納する。
【００６７】
なお、管理装置２では、検出装置１から状態通知情報が送信される度に、ステップＳ９０１〜Ｓ９０７の処理を繰り返し行う。
【００６８】
以上より、固定資産が適正状態にない場合には管理責任者のもとに警告情報が送られ、これにより、管理責任者は実査等の必要な措置を行うことができる。そして、実査等を行った後は、固定資産情報記憶部２０７のステータス情報をチェックすることにより固定資産の状態が是正されたかどうかを確認することができる。
【００６９】
次に、管理装置２の判定部２０３の動作を説明する。
図１０は判定部２０３の動作例を示すフローチャートである。
【００７０】
先ず、ステップＳ１００１において、判定部２０３は、固定資産ＩＤをキーにして判定対象の固定資産の判定基準を検索する。
次に、ステップＳ１００２において、判定対象の固定資産の状態通知情報に示された稼動状態フラグ及び時刻と、ステップＳ１００１で検索した判定基準の稼動スケジュールとを比較する。
更に、ステップＳ１００３において、判定対象の固定資産の状態通知情報に示された所在位置と、ステップＳ１００１で検索した判定基準の適正所在位置とを比較する。
次に、ステップＳ１００４において、状態通知情報の内容が稼動スケジュール、適正所在位置に合致しているか否か、すなわち、固定資産が稼動スケジュールに従って稼動しているか否か、固定資産が適正所在位置に所在しているか否かを判定する。
状態通知情報の内容が稼動スケジュール及び適正所在位置のいずれにも合致している場合は、ステップＳ１００６に進む。
稼動スケジュール及び適正所在位置の少なくともどちらか一方に合致していない場合は、固定資産が適正状態にないので、ステップＳ１００５で、警告情報生成部に警告情報の生成を指示する。固定資産が稼動スケジュールに従って稼動していない場合には、警告情報生成部２０４に対して固定資産が稼動スケジュールに従って稼動していないことを通知するとともに現在の稼動状態を通知し、固定資産が適正所在位置に所在していない場合には、警告情報生成部２０４に対して固定資産が適正所在位置に所在していないことを通知するとともに現在の所在位置を通知する。
これにより、警告情報生成部２０４は警告情報を生成し、通信部２０１から警告情報が管理責任者装置５に送信され、警告情報を見た管理責任者が固定資産の実査を行うなどの対策を講じることができる。
【００７１】
判定部２０３では、最後に、ステップＳ１００６において、判定結果をステータス情報として固定資産情報記憶部２０７に格納する。
【００７２】
なお、以上の説明では、固定資産の稼動状態及び所在位置を同時に判定することとしたが、前述したように検出装置１において稼動状態の検出と所在位置の検出とを分離した場合には、稼動状態に対する判定と所在位置に対する判定とを分離してもよい。例えば、前述したように、検出装置１より稼動状態のみが示された状態通知情報、所在位置のみが示された状態通知情報が送信される場合には、受信した状態通知情報の内容に基づき、稼動状態に対する判定のみ、所在位置に対する判定のみを行うようにしてもよい。
【００７３】
このように、本実施の形態によれば、固定資産の稼動状態、位置状態を速やかに把握することが可能となり、資産管理に関する時間を削減することができる。
【００７４】
また、固定資産が適正状態にない場合には、管理責任者装置に対して警告情報を送信するため、固定資産に対する不正行為、例えば、資産の無断持ち出し、不正使用などを防止、是正することができる。
【００７５】
また、固定資産が稼動を停止している間も固定資産の所在位置を検出できるので、例えば、固定資産が稼動を停止している夜間に固定資産が不正に持ち出された場合でも、即座に管理責任者に警告情報を送信することができ、管理責任者に速やかな対策処理を取らせることができる。
【００７６】
また、固定資産が稼動を停止した時点で固定資産の稼動停止を検出できるので、例えば、夜間に稼動する固定資産について、夜間に固定資産の稼動を不正に停止させるような行為があった場合でも、即座に管理責任者に警告情報を送信することができ、管理責任者に速やかな対策処理を取らせることができる。
【００７７】
また、固定資産が稼動している間は固定資産からの受電により検出装置を稼動させるため、検出装置の維持コストの低減を図ることができ、固定資産が稼動を停止した際には検出装置独自の電源により検出装置を稼動させるため、固定資産が稼動を停止していても固定資産の装置状態を検出することができる。
【００７８】
実施の形態２．
図１１は、本実施の形態に係る管理装置２の機能ブロックを示す図である。
図１１において、２０１〜２０７は図３に示すものと同様であり、説明を省略する。
【００７９】
資産評価情報生成部２０８は、固定資産の資産評価に関する資産評価情報を生成する。
資産評価情報は、例えば、固定資産情報記憶部２０７に記憶された固定資産情報（固定資産の管理部門、固定資産の取得日、取得価格、簿価等の経理情報）と固定資産の稼働時間の累計値とからなる。
資産評価情報生成部２０８は、状態通知情報蓄積部２０５に蓄積された状態通知情報のうち稼動状態に関する情報（稼動状態フラグ、時刻）を用いて固定資産ごとに稼働時間の累計値を算出し、また、固定資産情報記憶部２０７から固定資産情報を取得し、稼働時間の累計値と固定資産情報とを編集して資産評価情報を生成する。
固定資産の管理責任者は、この資産評価情報を閲覧し、固定資産の維持、売却、廃却などの判断を行うことができる。
【００８０】
なお、本実施の形態に係る管理システムの全体構成は図１に示したものと同様であり、また、検出装置１の構成も図２に示したものと同様である。
【００８１】
このように、本実施の形態に係る管理システムでは、固定資産の稼働時間の累計値を算出し、固定資産情報とともに資産評価情報を生成するため、管理責任者において固定資産の維持、売却、廃却などの判断を容易に行うことができる。
【図面の簡単な説明】
【００８２】
【図１】実施の形態１に係る管理システムの構成例を示す図。
【図２】実施の形態１に係る検出装置の構成例を示す図。
【図３】実施の形態１に係る管理装置の構成例を示す図。
【図４】実施の形態１に係る状態通知情報の例を示す図。
【図５】実施の形態１に係る判断基準の例を示す図。
【図６】実施の形態１に係る検出装置の動作例を示すフローチャート図。
【図７】実施の形態１に係る稼動状態検出部の動作例を示すフローチャート図。
【図８】実施の形態１に係る稼動状態検出部の動作例を示すフローチャート図。
【図９】実施の形態１に係る管理装置の動作例を示すフローチャート図。
【図１０】実施の形態１に係る判定部の動作例を示すフローチャート図。
【図１１】実施の形態２に係る管理装置の構成例を示す図。
【符号の説明】
【００８３】
１  検出装置、２  管理装置、３  固定資産、４  ネットワーク、５  管理責任者装置、６  通信衛星、７  ＧＰＳ衛星、１０１  稼動状態検出部、１０２  位置検出部、１０３  状態通知情報生成部、１０４  通信部、１０５  電源制御部、１０６  第１の電源部、１０７  第２の電源部、１０８  資産ＩＤ記憶部、１０９  タイマ、２０１  通信部、２０２  変換・格納部、２０３  判定部、２０４  警告情報生成部、２０５  状態通知情報蓄積部、２０６  判定基準記憶部、２０７  固定資産情報記憶部、２０８  資産評価情報生成部。
【図１】
2006309789.tif 000003
【図２】
2006309789.tif 000004
【図３】
2006309789.tif 000005
【図４】
2006309789.tif 000006
【図５】
2006309789.tif 000007
【図６】
2006309789.tif 000008
【図７】
2006309789.tif 000009
【図８】
2006309789.tif 000010
【図９】
2006309789.tif 000011
【図１０】
2006309789.tif 000012
【図１１】
2006309789.tif 000013